(57)【要約】本発明は、自律ＨＡＲＱ再送信の回数の連続した適応制御を可能にする方法と構成に関する。これは、ＵＥと無線基地局とが、ＵＥおよび／または無線基地局における観測に基づいて回数を調整することができる自律ＨＡＲＱ再送信を使用するという解決策によって達成することができる。観測を行う対象は、最近受信したデータパケットを無線基地局が正しく復号化するために必要であったＨＡＲＱ再送信の量である。
2011514036.tif 000002
【特許請求の範囲】
【請求項１】
無線通信システムにおける無線基地局において実行されるアップリンクにおけるハイブリッド型の自動再送要求（ＨＡＲＱ）による再送の方法であって、前記無線基地局は、自律ＨＡＲＱ再送を使用してデータパケットを送信する少なくとも１つのユーザ装置から前記データパケットを受信する無線基地局であり、
前記方法は、
前記少なくとも１つのユーザ装置から新規に送信されたデータパケットを受信するたびに実行されるステップとして、
少なくとも１つの最新のデータパケットを正しく復号できるまでに必要となったＨＡＲＱ再送の量を観測する観測ステップと、
前記観測されたＨＡＲＱ再送の量に基づいて、前記自律ＨＡＲＱ再送の回数を調整する調整ステップと
を有することを特徴とする方法。
【請求項２】
前記調整ステップは、
前記自律ＨＡＲＱ再送の回数を調整するサブステップと、
前記自律ＨＡＲＱ再送の回数について調整することを要求するためのリクエストを前記ユーザ装置へ送信するサブステップと
を有することを特徴とする請求項１に記載の方法。
【請求項３】
前記無線基地局は、無線ネットワーク制御装置（ＲＮＣ）によって制御される無線基地局であり、
前記調整ステップは、
前記自律ＨＡＲＱ再送の回数の調整についての情報を前記無線ネットワーク制御装置に送信することによって、少なくとも１つのハンドオーバに関与し、かつ、前記少なくとも１つのユーザ装置からデータパケットを受信する他の無線基地局に対して、前記無線ネットワーク制御装置によって前記調整について通知させるサブステップ
を有することを特徴とする請求項２に記載の方法。
【請求項４】
前記リクエストは、高速共用制御チャネル（ＨＳ−ＳＣＣＨ）における命令を介して送信されることを特徴とする請求項２または３に記載の方法。
【請求項５】
前記リクエストは、拡張個別チャネルの絶対グラントチャネル（Ｅ−ＡＧＣＨ）を介して送信されることを特徴とする請求項２または３に記載の方法。
【請求項６】
前記無線基地局は、無線ネットワーク制御装置（ＲＮＣ）によって制御される無線基地局であり、
前記調整ステップは、
前記自律ＨＡＲＱ再送の回数を調整するサブステップと、
前記自律ＨＡＲＱ再送の回数について調整することを要求するためのリクエストを前記無線ネットワーク制御装置（ＲＮＣ）へ送信することにより、前記無線ネットワーク制御装置によって調整についてのリクエストを前記ユーザ装置へ送信させるとともに、少なくとも１つのハンドオーバに関与し、かつ、前記少なくとも１つのユーザ装置からデータパケットを受信する他の無線基地局に対して、前記無線ネットワーク制御装置によって前記調整について通知させるサブステップと
を有することを特徴とする請求項１に記載の方法。
【請求項７】
前記調整は、前記自律ＨＡＲＱ再送の回数を少なくとも１回だけ増加または減少させることに対応していることを特徴とする請求項２ないし６のいずれか１項に記載の方法。
【請求項８】
前記調整は、前記自律ＨＡＲＱ再送の回数を絶対的な値でもって設定することに対応していることを特徴とする請求項２ないし６のいずれか１項に記載の方法。
【請求項９】
前記調整ステップは、
前記観測されたＨＡＲＱ再送の量を入力として使用する所定のルールにしたがって前記自律ＨＡＲＱ再送の回数を調整するサブステップ
を有することを特徴とする請求項１に記載の方法。
【請求項１０】
前記無線基地局は、無線ネットワーク制御装置（ＲＮＣ）によって制御される無線基地局であり、
前記調整ステップは、
前記自律ＨＡＲＱ再送の回数の調整についての情報を前記無線ネットワーク制御装置に送信することによって、少なくとも１つのハンドオーバに関与し、かつ、前記少なくとも１つのユーザ装置からデータパケットを受信する他の無線基地局に対して、前記無線ネットワーク制御装置によって前記調整について通知させるサブステップ
を有することを特徴とする請求項９に記載の方法。
【請求項１１】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項９または１０に記載の方法。
【請求項１２】
前記所定のルールは、
少なくとも２つの最新のデータパケットを正しく復号できるまでに必要となった前記観測されたＨＡＲＱ再送の量についての統計関数によって前記自律ＨＡＲＱ再送の回数を調整するルールである
ことを特徴とする請求項９または１０に記載の方法。
【請求項１３】
無線通信システムにおけるユーザ装置において実行されるアップリンクにおけるハイブリッド型の自動再送要求（ＨＡＲＱ）による再送の方法であって、前記ユーザ装置は少なくとも１つの無線基地局に対して自律ＨＡＲＱ再送を使用してデータパケットを送信するユーザ装置であり、
前記方法は、
前記少なくとも１つの無線基地局に対して新規にデータパケットを送信するたびに実行されるステップとして、
観測されたＨＡＲＱ再送の量に基づいて、前記自律ＨＡＲＱ再送の回数を調整する調整ステップ
を有することを特徴とする方法。
【請求項１４】
前記調整ステップは、
前記自律ＨＡＲＱ再送の回数を調整することを要求するリクエストを受信するサブステップと、
前記受信したリクエストにしたがって、観測されたＨＡＲＱ再送の量に基づいて前記自律ＨＡＲＱ再送の回数を調整するサブステップと
を有することを特徴とする請求項１３に記載の方法。
【請求項１５】
前記リクエストは、高速共用制御チャネル（ＨＳ−ＳＣＣＨ）における命令を介して受信されることを特徴とする請求項１４に記載の方法。
【請求項１６】
前記リクエストは、拡張個別チャネルの絶対グラントチャネル（Ｅ−ＡＧＣＨ）を介して受信されることを特徴とする請求項１４に記載の方法。
【請求項１７】
前記調整は、前記自律ＨＡＲＱ再送の回数を少なくとも１回だけ増加または減少させることに対応していることを特徴とする請求項１４ないし１６のいずれか１項に記載の方法。
【請求項１８】
前記調整は、前記自律ＨＡＲＱ再送の回数を絶対的な値でもって設定することに対応していることを特徴とする請求項１４ないし１６のいずれか１項に記載の方法。
【請求項１９】
前記調整ステップは、
少なくとも１つの最新のデータパケットを正しく送信できるまでに必要となったＨＡＲＱ再送の量を観測するサブステップと、
前記観測されたＨＡＲＱ再送の量を入力として使用する所定のルールにしたがって前記自律ＨＡＲＱ再送の回数を調整するサブステップと
を有することを特徴とする請求項１３に記載の方法。
【請求項２０】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項１９に記載の方法。
【請求項２１】
前記所定のルールは、
少なくとも２つの最新のデータパケットを正しく送信できるまでに必要となった前記観測されたＨＡＲＱ再送の量についての統計関数によって前記自律ＨＡＲＱ再送の回数を調整するルールである
ことを特徴とする請求項１９に記載の方法。
【請求項２２】
無線通信システムにおける無線基地局であって、前記無線基地局は、自律ＨＡＲＱ再送を使用してデータパケットを送信する少なくとも１つのユーザ装置から前記データパケットを受信する無線基地局であり、
少なくとも１つの最新のデータパケットを正しく復号できるまでに必要となったＨＡＲＱ再送の量を観測する観測手段と、
前記観測されたＨＡＲＱ再送の量に基づいて、前記自律ＨＡＲＱ再送の回数を調整する調整手段と
を備えることを特徴とする無線基地局。
【請求項２３】
前記調整手段は、
前記自律ＨＡＲＱ再送の回数を調整する手段と、
前記自律ＨＡＲＱ再送の回数について調整することを要求するためのリクエストを前記ユーザ装置へ送信する手段と
を備えることを特徴とする請求項２２に記載の無線基地局。
【請求項２４】
前記無線基地局は、無線ネットワーク制御装置（ＲＮＣ）によって制御される無線基地局であり、
前記調整手段は、
前記自律ＨＡＲＱ再送の回数の調整についての情報を前記無線ネットワーク制御装置に送信する手段
を備えることを特徴とする請求項２３に記載の無線基地局。
【請求項２５】
前記無線基地局は、無線ネットワーク制御装置（ＲＮＣ）によって制御される無線基地局であり、
前記調整手段は、
前記自律ＨＡＲＱ再送の回数を調整する手段と、
前記自律ＨＡＲＱ再送の回数について調整することを要求するためのリクエストを前記無線ネットワーク制御装置へ送信する手段と
を備えることを特徴とする請求項２２に記載の無線基地局。
【請求項２６】
前記調整は、前記自律ＨＡＲＱ再送の回数を少なくとも１回だけ増加または減少させることに対応していることを特徴とする請求項２３ないし２５のいずれか１項に記載の無線基地局。
【請求項２７】
前記調整は、前記自律ＨＡＲＱ再送の回数を絶対的な値でもって設定することに対応していることを特徴とする請求項２３ないし２５のいずれか１項に記載の無線基地局。
【請求項２８】
前記調整手段は、
前記観測されたＨＡＲＱ再送の量を入力として使用する所定のルールにしたがって前記自律ＨＡＲＱ再送の回数を調整する手段
を備えることを特徴とする請求項２２に記載の無線基地局。
【請求項２９】
前記無線基地局は、無線ネットワーク制御装置（ＲＮＣ）によって制御される無線基地局であり、
前記調整手段は、
前記無線ネットワーク制御装置によって調整についてのリクエストを前記ユーザ装置へ送信させるとともに、少なくとも１つのハンドオーバに関与し、かつ、前記少なくとも１つのユーザ装置からデータパケットを受信する他の無線基地局に対して、前記無線ネットワーク制御装置によって前記調整について通知させるために、前記自律ＨＡＲＱ再送の回数について調整することを要求するためのリクエストを前記無線ネットワーク制御装置へ送信する手段と
を備えることを特徴とする請求項２８に記載の無線基地局。
【請求項３０】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項２８または２９に記載の無線基地局。
【請求項３１】
前記所定のルールは、
少なくとも２つの最新のデータパケットを正しく送信できるまでに必要となった前記観測されたＨＡＲＱ再送の量についての統計関数によって前記自律ＨＡＲＱ再送の回数を調整するルールである
ことを特徴とする請求項２８または２９に記載の無線基地局。
【請求項３２】
無線通信システムにおけるユーザ装置であって、前記ユーザ装置は少なくとも１つの無線基地局に対して自律ＨＡＲＱ再送を使用してデータパケットを送信するユーザ装置であり、
観測されたＨＡＲＱ再送の量に基づいて、前記自律ＨＡＲＱ再送の回数を調整する調整手段
を備えることを特徴とするユーザ装置。
【請求項３３】
前記調整手段は、
前記自律ＨＡＲＱ再送の回数を調整することを要求するリクエストを受信する手段と、
前記受信したリクエストにしたがって、観測されたＨＡＲＱ再送の量に基づいて前記自律ＨＡＲＱ再送の回数を調整する手段と
を備えることを特徴とする請求項３２に記載のユーザ装置。
【請求項３４】
前記調整は、前記自律ＨＡＲＱ再送の回数を少なくとも１回だけ増加または減少させることに対応していることを特徴とする請求項３３に記載のユーザ装置。
【請求項３５】
前記調整は、前記自律ＨＡＲＱ再送の回数を絶対的な値でもって設定することに対応していることを特徴とする請求項３３に記載のユーザ装置。
【請求項３６】
前記調整手段は、
少なくとも１つの最新のデータパケットを正しく送信できるまでに必要となったＨＡＲＱ再送の量を観測する観測手段と、
前記観測されたＨＡＲＱ再送の量を入力として使用する所定のルールにしたがって前記自律ＨＡＲＱ再送の回数を調整する手段と
を備えることを特徴とする請求項３２に記載のユーザ装置。
【請求項３７】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項３６に記載のユーザ装置。
【請求項３８】
前記所定のルールは、
少なくとも２つの最新のデータパケットを正しく送信できるまでに必要となった前記観測されたＨＡＲＱ再送の量についての統計関数によって前記自律ＨＡＲＱ再送の回数を調整するルールである
ことを特徴とする請求項３６に記載のユーザ装置。
【発明の詳細な説明】
【技術分野】
【０００１】
本発明は無線通信の分野に関するものであり、特に、無線通信ネットワークの自律ＨＡＲＱ再送信（ａｕｔｏｎｏｍｏｕｓ  ＨＡＲＱ  ｒｅｔｒａｎｓｍｉｓｓｉｏｎ）に関する。
【背景技術】
【０００２】
汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、第３世代（３Ｇ）システムまたは広帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅｘｉｎｇ  ａｃｃｅｓｓ）システムとも呼ばれ、ＧＳＭの後継として設計されている。ＵＭＴＳ地上無線アクセスネットワーク（ＵＴＲＡＮ：ＵＭＴＳ  Ｔｅｒｒｅｓｔｒｉａｌ  Ｒａｄｉｏ  Ａｃｃｅｓｓ  Ｎｅｔｗｏｒｋ）はＵＭＴＳシステムの無線アクセスネットワークである。ＵＴＲＡＮアーキテクチャにおいては、特定のセル１１０のユーザ端末（ＵＥ：ｕｓｅｒ  ｅｑｕｉｐｍｅｎｔ）１５０は、ＮｏｄｅＢ（ＮＢ）１３０に無線で接続され、ＮＢ１３０はさらに無線ネットワーク制御装置（ＲＮＣ：Ｒａｄｉｏ  Ｎｅｔｗｏｒｋ  Ｃｏｎｔｒｏｌｌｅｒ）１００に接続される。これらは図１に示されている。
【０００３】
ＵＴＲＡＮの進化型および他の無線インタフェース標準は、ＶｏＩＰ等のパケットデータサービスをサポートするために、パケットアクセス技術に強い焦点を当てている。ここでの主要な原理は、小さなデータユニットまたはパケットが通信媒体を通してデータを運び、それぞれのパケットは、データを記述するヘッダを備えるということである。遅延に敏感なパケットデータサービスの使用を支持するためには、データレートの増大と往復時間（ＲＴＴ：Ｒｏｕｎｄ  Ｔｒｉｐ  Ｔｉｍｅ）の低減とが要求条件になる。ＲＴＴは、パケットが第１のマシーンから第２のマシーンに行きそして戻るのに要する時間として定義される。ＵＴＲＡＮにおいて、ＲＴＴを低減しデータレートを増大させることを可能にするために、送信時間間隔（ＴＴＩ：Ｔｒａｎｓｍｉｓｓｉｏｎ  Ｔｉｍｅ  Ｉｎｔｅｒｖａｌ）を１０、２０、４０、または８０ｍｓから２ｍｓに短縮することが行われる。ＴＴＩは、符号化されてインターリーブされたデータの送信継続時間として定義される。
【０００４】
上位層のプロトコルおよびアプリケーションに対しては、短いＴＴＩが一般的には有利であるが、その逆効果もある。すなわち、ＴＴＩを短くすれば、送信データの信頼性（従ってカバレッジ）が低下する。これは、ＴＴＩが短くなると、情報ビットあたりのエネルギーが低下してしまうからである。この問題に対する１つの解決策は、送信電力を増加させること、つまり、情報ビットあたりのエネルギーを増加させることである。従って２ｍｓのＴＴＩを使用した場合のデータの送信には比較的高い送信電力が要求される。しかし、送信電力が限定される状況におけるこの送信では、１０、２０、４０、または８０ｍｓのＴＴＩを使用したデータの送信の場合と比較して誤りが生じやすくなる。従って、２ｍｓのＴＴＩを使用した場合は、それよりも長いＴＴＩを使用した場合と同様のカバレッジを保証することは困難である。カバレッジは、特にアップリンク（移動機から固定機への方向）において限定される。これは、携帯型のＵＥはネットワーク側と同様の高い送信機電力を有することができないからである。
【０００５】
このカバレッジの問題に対する広く知られている解決策は、送信プロトコルを使用することである。これは、受信側は、パケットの受信に成功するまで（または、再送信の回数が最大値に達するまで）、送信側からの再送信を要求することを意味する。さらなる改善は、再送信プロトコルとソフトコンバイニングの機能とを組み合わせることである。この場合には受信機が誤って受信したパケットを破棄せずに、それらのソフトビット値（軟判定ビット値）をバッファしておき、これらの値と再送信されたパケットのソフトビット値とを合成する。これは、しばしば、ソフトコンバイニングを伴うハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）と呼ばれる。
【０００６】
ＨＡＲＱは、前方誤り訂正（ＦＥＣ：ｆｏｒｗａｒｄ  ｅｒｒｏｒ−ｃｏｒｒｅｃｔｉｎｇ）符号化と自動再送要求（ＡＲＱ：Ａｕｔｏｍａｔｉｃ  Ｒｅｐｅａｔ  Ｒｅｑｕｅｓｔ）とを組み合わせた方式である。ＦＥＣ符号化においては、送信信号の中に冗長度が導入される。送信を行う前にパリティビットが情報ビットに付加される。パリティビットは、使用する符号化構造によって与えられる方法を使用して情報ビットから算出される。ＡＲＱスキームにおいては、受信機は、誤り検出符号を使用して、受信パケットが誤っているか否かを検出する。誤りが検出されない場合には肯定応答（ＡＣＫ：ｐｏｓｉｔｉｖｅ  ａｃｋｎｏｗｌｅｄｇｅｍｅｎｔ）が送信機に送信され、誤りが検出された場合には否定応答（ＮＡＫ：ｎｅｇａｔｉｖｅ  ａｃｋｎｏｗｌｅｄｇｅｍｅｎｔ）が送信される。ＮＡＫの後には送信機は再び同じ情報を再送信するであろう。従って、ＨＡＲＱは、全ての誤りのサブセットを訂正するにはＦＥＣ符号を使用し、残りの誤りの扱いに対しては再送信を使用して誤り検出をすることによっている。
【発明の概要】
【発明が解決しようとする課題】
【０００７】
ＨＡＲＱ再送信によって導入される遅延を低減するための１つの解決策は、送信機と受信機との間のＡＣＫまたはＮＡＫを待たずに、所定の数の再送信を行うことを許可することである。これらの再送信は、自律再送信（ａｕｔｏｎｏｍｏｕｓ  ｒｅｔｒａｎｓｍｉｓｓｉｏｎ）と呼ばれ、引き続くＴＴＩの中で送信することができる。または、引き続くＴＴＩではないが特定な事前に設定されたＴＴＩの中で送信することができる。所定の数の自律再送信ではデータパケットを正しく得るのに十分でなかったことが判明した場合には、ＵＥはＮＡＫを受信するであろう。そして、データパケットの受信の成功に応答してＮｏｄｅＢからのＡＣＫを受信するまで（または再送信の回数の最大値に達するまで）、再送信（例えば、通常のＨＡＲＱ再送信または別のセットの自律再送信のいずれか）を続けなければならないであろう。
【０００８】
自律ＨＡＲＱ再送信は、上記で記述したカバレッジの問題をある程度軽減することはできるが、自律再送信の回数を固定数としてしまうと、ＵＥがセルの中で好適な状況にあるような場合には、過剰な数の再送信を行う結果になる。一般的に、過剰な数のＨＡＲＱ再送信は不利である。これは受信機リソースへの要求条件がネットワーク側で厳しくなり、これは高い経費に結びつくからである。もし、多くのＵＥが多数回のＨＡＲＱ再送信を常に実行しているとすれば、提供されるサービスに対する経費は高くなる。多数回のＨＡＲＱ再送信は遅延を増加させ、遅延の増加は、例えば音声等の実時間サービスには望ましくない。一方では、固定数の自律再送信は、しばしば、データパケットを正しく受信するには十分でない場合があるであろう。従ってこの場合には、さらに何回かの余分の送信が必要であろう。これもまた遅延を増加させることになる。
【０００９】
本発明の目的は、上記の欠点の内のいくつかを取り除き、無線通信システムにおいてＨＡＲＱ再送信を使用してアップリンクカバレッジを改善すると共に、経費と遅延とを低減する方法と構成とを提供することである。
【課題を解決するための手段】
【００１０】
これは、自律ＨＡＲＱ再送信の回数の連続した適応制御に基づく解決策により達成される。ＵＥと無線基地局とは、ＵＥおよび／または無線基地局における観測結果に基づいて回数を調整することができる自律ＨＡＲＱ再送信を使用する。観測する対象は、最近に受信したデータパケットを無線基地局が正しく復号化するのに必要であったＨＡＲＱ再送信の量である。
【００１１】
従って、本発明の第１の視点に従えば、無線通信システムの無線基地局におけるアップリンクＨＡＲＱ再送信の方法が提供される。無線基地局は、少なくとも１つのユーザ端末からデータパケットを受信する。ユーザ端末は、無線基地局において受信されるデータパケットを送信するために、自律ＨＡＲＱ再送信を使用するよう適合される。本方法は、少なくとも１つのユーザ端末から新しいデータパケットを受信するそれぞれのステップに対して、最近の少なくとも１つの受信データパケットを正しく復号化するために必要であったＨＡＲＱ再送信の量を観測するステップと、観測したＨＡＲＱ再送信の量に基づいて自律ＨＡＲＱ再送信の回数を調整するステップとを備える。
【００１２】
本発明の第２の視点に従えば、無線通信システムのユーザ端末におけるアップリンクＨＡＲＱ再送信の方法が提供される。ユーザ端末は、データパケットを少なくとも１つの無線基地局に送信する。また、データパケット送信のために自律ＨＡＲＱ再送信を使用するよう適合される。本方法は、新しいデータパケットを少なくとも１つの無線基地局に送信するそれぞれのステップに対して、観測したＨＡＲＱ再送信の量に基づいて自律ＨＡＲＱ再送信の回数を調整するステップを備える。
【００１３】
本発明の第３の視点に従えば、無線通信システムの無線基地局が提供される。無線基地局はデータパケットを少なくとも１つのユーザ端末から受信するよう適合される。ユーザ端末は、無線基地局において受信されるデータパケットを送信するために、自律ＨＡＲＱ再送信を使用するよう適合される。無線基地局は、最近の少なくとも１つの受信データパケットを正しく復号化するために必要であったＨＡＲＱ再送信の量を観測するための手段を備える。無線基地局はまた、観測したＨＡＲＱ再送信の量に基づいて自律ＨＡＲＱ再送信の回数を調整するための手段を備える。
【００１４】
本発明の第４の視点に従えば、無線通信システムのＵＥが提供される。ＵＥは、データパケットを、少なくとも１つの無線基地局に送信し、データパケットの送信のために自律ＨＡＲＱ再送信を使用するよう適合される。ＵＥは、観測したＨＡＲＱ再送信の量に基づいて自律ＨＡＲＱ再送信の回数を調整するための手段を備える。
【００１５】
本発明の実施形態の１つの利点は、全てのＵＥおよび全てのセルに対して固定の回数の自律ＨＡＲＱ再送信を設定するのではなくて、自律ＨＡＲＱ再送信の回数は、ＵＥの個々のカバレッジ状況の中で要求されるように調整することができるという点である。従って、調整して最適化された回数の自律ＨＡＲＱ再送信がそれぞれのＵＥおよびそれぞれの再送信に対して使用される。
【００１６】
本発明の実施形態に関する別の利点は、調整した回数の自律ＨＡＲＱ再送信によって、経費、遅延およびオーバヘッドが低減されるという点である。これは、再送信の回数が決して過剰に多くはならないからである。また、少なすぎる回数の自律ＨＡＲＱ再送信が回避されるので、よりよいカバレッジを得ることもできる。これが特に重要な場合は、ＵＥが、短いＴＴＩを有するＶｏＩＰ等の、遅延に敏感なサービスを使用している場合である。
【００１７】
本発明の実施形態に関するさらに別の利点は、少なすぎる回数の低位層のＨＡＲＱ再送信が回避されるので、高位層の無線リンク制御（ＲＬＣ：Ｒａｄｉｏ  Ｌｉｎｋ  Ｃｏｎｔｒｏｌ）再送信（これは、ＨＡＲＱ再送信が失敗した場合で、データパケットの正しい受信を得るときに使用する）の回数が低減されるという点である。これはまた、総合的な遅延に影響する。
【図面の簡単な説明】
【００１８】
【図１】本発明を実施することができるＵＴＲＡＮの一部を示す図である。
【図２ａ】、
【図２ｂ】本発明の実施形態に従った、それぞれ、ＮｏｄｅＢおよびＵＥの方法のフローチャートである。
【図３ａ】、
【図３ｂ】、
【図３ｃ】本発明の実施形態に従った、それぞれ、ＮｏｄｅＢおよびＵＥの方法のフローチャートである。
【図４ａ】、
【図４ｂ】本発明の実施形態に従った、それぞれ、ＮｏｄｅＢおよびＵＥの方法のフローチャートである。
【図５ａ】、
【図５ｂ】本発明の実施形態に従ったＮｏｄｅＢおよびＵＥを示す図である。
【発明を実施するための形態】
【００１９】
いくつかの実施形態と添付の図面を参照し、本発明は以下でより詳細に記述される。本発明の十分な理解を提供するために、限定の目的ではなく説明の目的で、特定なシナリオ、技術等の、具体的詳細を記述する。しかしながら、当業者には、本発明はこれらの具体的詳細とは異なる実施形態においても実施可能であることが明らかであろう。
【００２０】
さらに、当業者は、本明細書に以下で説明する機能と手段とは、プログラムされたマイクロプロセッサまたは一般目的のコンピュータに結合して機能するソフトウェアを使用して、および／または、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）を使用して実施することが可能であると理解するであろう。また、本発明は主として方法とデバイスの形で記述されているが、本発明はまた、コンピュータプログラムの中で実施することができること、さらには、コンピュータの処理装置およびその制御装置に結合したメモリとを備え、メモリは本明細書において開示する機能を実行することができる１つ以上のプログラムによって符号化されている、システムの中で実施することができることも理解されるであろう。
【００２１】
本発明は、本明細書の中で、特定な事例のシナリオを参照して記述される。特に、本発明は、自律ＨＡＲＱ再送信を行うＵＴＲＡＮに関連した、限定的でない一般的な状況の中で記述される。しかし、本発明およびその典型的な実施形態は、再送信に関してＵＴＲＡＮと同様な特性を持つ他の型の無線アクセス技術にも適用することができるという点に注意されるべきである。
【００２２】
図１に示す本発明では、ＵＥ１５０およびＮｏｄｅＢ１３０、１４０は、アップリンク送信に対して、回数が調整可能な自律ＨＡＲＱ再送信を使用している。ＵＥ１５０とサービスを提供するＮｏｄｅＢ１３０は、使用する自律ＨＡＲＱ再送信の実際の回数に関する知識を有する必要がある。１つのセル１１０から別のセル１２０へのソフトハンドオーバを行う間は、サービスを提供していないＮｏｄｅＢ１４０もまた、自律ＨＡＲＱ再送信の実際の回数について知る必要がある。これは、サービスを提供していないＮｏｄｅＢ１４０もまた同様にパケットを受信しているからである。データパケットのそれぞれの最初のアップリンク送信に対して、自律ＨＡＲＱ再送信の回数は、ＵＥ１５０および／またはＮｏｄｅＢ１３０における観測に基づいて調整することができる。観測を行う対象は、これまでに受信したデータパケットをＮｏｄｅＢ１３０が正しく復号化するために必要であったＨＡＲＱ再送信の量である。これまでのデータパケットが、指示されている実際の回数の自律ＨＡＲＱ再送信よりも多いＨＡＲＱ再送信を必要としたのであれば、ＵＥ１５０のカバレッジ状況ではより多くの量の自律ＨＡＲＱ再送信が必要であると信ずるのが正当である。従って、それに対応して自律ＨＡＲＱ再送信の回数を調整することができる。
【００２３】
自律ＨＡＲＱ再送信の調整した回数に関してどのようにしてＵＥに通知することができるかについては、いくつかの代替案が存在する。ＮｏｄｅＢはエアインタフェースを介して直接にＵＥに通知するか、またはＲＮＣを介して間接的に通知するかのどちらかである。後者の場合は、ＲＮＣはＮｏｄｅＢを介して、調整した回数をメッセージの中に入れて透明に送信してＵＥに通知する。別の代替案は、ＵＥは所定のまたは標準化されたルールを使用して、自分の観測を、再送信の回数をどのように調整するかを導出するための入力として使用するというものである。そして、同じ所定のまたは標準化されたルールがＮｏｄｅＢによっても使用され、これにより、ＵＥとＮｏｄｅＢとは、いずれのシグナリングを行うこともなく、同じ値の調整した再送信の回数を得ることができる。
【００２４】
従って、本発明の第１の実施形態に従えば、ＮｏｄｅＢは、最近に受信した１つ以上のパケットを正しく復号化するのに必要であったＨＡＲＱ再送信の量を観測し、その観測に基づいて自律ＨＡＲＱ再送信の回数の調整を開始する。
【００２５】
本発明の第２の実施形態に従えば、調整は、最初にＮｏｄｅＢにおいて自律ＨＡＲＱ再送信の回数を調整し、次に、調整に対する要求をＵＥに送信する。そして、ＵＥはそれに応じて、自律ＨＡＲＱ再送信の回数を調整するであろう。この実施形態の利点は、調整がエアインタフェースを通して、時間効率よくシグナリングされるという点である。１つの代替的実施形態においては、要求は高速共有制御チャネル命令（ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）ｏｒｄｅｒ）を介して送信される。別の代替的実施形態においては、要求は、拡張個別チャネル（Ｅ−ＤＣＨ：Ｅｎｈａｎｃｅｄ  Ｄｅｄｉｃａｔｅｄ  Ｃｈａｎｎｅｌ）絶対グラントチャネル（Ｅ−ＡＧＣＨ：Ｅ−ＤＣＨ  Ａｂｓｏｌｕｔｅ  Ｇｒａｎｔ  Ｃｈａｎｎｅｌ）を介して送信される。
【００２６】
第３の実施形態においては、調整した自律ＨＡＲＱ再送信の回数に関する情報をＲＮＣに送信することにより、この第２の実施形態が補完される。これは、ＲＮＣが、ソフトハンドオーバを行う全てのＮｏｄｅＢに対してこの調整に関する通知を行うことができるようにするためである。この実施形態の利点は、この実施形態はＵＥがソフトハンドオーバを行う場合を支持するという点である。
【００２７】
第４の実施形態は、第２および第３の実施形態の代替的実施形態である。第４の実施形態に従えば、調整は、最初にＮｏｄｅＢにおいて自律ＨＡＲＱ再送信の回数を調整し、次に、調整に対する要求をＲＮＣに送信する。これにより、ＲＮＣは調整に対する要求を、ＮｏｄｅＢを介して透明にＵＥに送信し、ソフトハンドオーバを行う全てのＮｏｄｅＢに対して調整に関しての通知を行うことが可能になる。従って、この実施形態もまた、ＵＥがソフトハンドオーバを行う場合を支持する。調整に対するＲＮＣのＵＥへの要求は、無線リソース制御（ＲＲＣ：Ｒａｄｉｏ  Ｒｅｓｏｕｒｃｅ  Ｃｏｎｔｒｏｌ）シグナリングによって送信することができる。ＲＮＣは、Ｉｕｂインタフェースを通したシグナリングを使用して、接続されたＮｏｄｅＢに通知することができ、また、Ｉｕｒインタフェースを通したシグナリングを使用して、別のＲＮＣを通して接続されているＮｏｄｅＢに通知することができる。
【００２８】
第２、第３，および第４の実施形態のいずれにおいても、ＮｏｄｅＢは、回数の増加または減少を、自律ＨＡＲＱ再送信の回数という表現でシグナリングすることができる。シグナリングする増加または減少の値は、例えば、１回だけの再送信とすることができる。しかし、他の値もまた可能である。代替的実施形態においては、ＮｏｄｅＢは絶対値を直接に指示して自律ＨＡＲＱ再送信の回数を調整する。
【００２９】
第５の実施形態においては、ＵＥとＮｏｄｅＢとの両方が、所定のルールを使用して調整すべき自律ＨＡＲＱ再送信の回数を導出する。最近の１つ以上のパケットを正しく復号化するために使用したＨＡＲＱ再送信の回数の観測は、ＵＥとＮｏｄｅＢとの両方において行われ、この所定のルールに対する入力として使用される。この第５の実施形態においては、使用するＨＡＲＱ再送信の調整の回数を導出するために、ＵＥとＮｏｄｅＢとの間にシグナリングを行う必要がない。また、この第５の実施形態は、自律ＨＡＲＱ再送信の調整した回数に関する情報をＲＮＣに送信して、ＲＮＣが、ソフトハンドオーバを行う全てのＮｏｄｅＢにこの調整に関する通知を行うことができるようにすることにより、補完することができる。
【００３０】
ＵＥとＮｏｄｅＢとが使用する所定のルールは、例えば、自律ＨＡＲＱ再送信の調整された回数は、最近のパケットを正しく復号化するのに必要であった、観測されたＨＡＲＱ再送信の回数で、回数Ｎで調整された値（Ｎは例えば±１、±２等）に等しくあるべきだとすることができる。
【００３１】
ルールは、最近のＭ個のパケットに対して必要であったＨＡＲＱ再送信の回数に関する関数ｆ（・）として記述することができる。例えば、関数ｆ（・）は、最近のＭ個のパケットにわたって必要であった再送信の回数の平均値として定義することができる。Ｓが、最近のＭ個のパケットにわたって必要であったＨＡＲＱ再送信の回数の合計に対応する値であるとすれば、この関数はｆ（・）＝（１／Ｍ）・Ｓと記述することができる。
【００３２】
別の例では、前記関数ｆ（・）は、パラメータａｉ・Ｒｉを持つ平均関数（または他の任意の適切な統計的関数）として定義される。ここで、以前のパケットｉに対して、ａｉは前記パケットｉに対して適用可能な実数値の重み係数を示し、Ｒｉは前記パケットｉを正しく復号化するために必要であったＨＡＲＱ再送信の回数を示す。重み係数はＵＥおよびＮｏｄｅＢの双方に知られており、例えば、ＨＳ−ＳＣＣＨ命令を通してＵＥに通知することができる。または、ＲＮＣが設定することもできる。従ってこの場合は、ｆ（・）＝ｆ（ａ１・Ｒ１，ａ２・Ｒ２，．．．．，ａＭ・ＲＭ）と表される。
【００３３】
図２ａは、上記で述べた本発明の第１の実施形態に従った、無線基地局に対する方法のフローチャートである。ステップ２１０において、無線基地局は、これまでに受信した１つ以上のデータパケットを正確に復号化するためにはいくつの再送信が必要であったかを観測する。ステップ２２０において無線基地局は、この観測に基づいて自律ＨＡＲＱ再送信の回数を調整することができる。従って、再送信の回数は、その時点のＵＥのカバレッジ状況に合わせて調整される。
【００３４】
さらに、図２ｂは、上記で述べた本発明の第１の実施形態に従った、ユーザ端末に対する方法のフローチャートである。ステップ２３０において、ＵＥは、無線基地局かまたはＵＥのいずれかにおける観測に基づいて自律ＨＡＲＱ再送信の回数を調整する。
【００３５】
さらに図３ａは、上記で述べた本発明の第２および第３の実施形態に従った、無線基地局に対する方法のフローチャートである。ステップ３１０において、無線基地局は、これまでに受信した１つ以上のデータパケットを正確に復号化するために何回の再送信が必要であったかを観測する。ステップ３２０において、無線基地局は、この観測に基づいて、自分自身の自律ＨＡＲＱ再送信の回数を調整することができる。そして、ステップ３３０において、調整に対する要求をＵＥに送信する。ステップ３４０において、調整に関する情報はまた、ＲＮＣにも送信され、ＲＮＣは、ソフトハンドオーバを行うＮｏｄｅＢにその調整に関する通知を行うことができる。ソフトハンドオーバを行うＮｏｄｅＢもまた、ＵＥからの再送信を受信しており、自律ＨＡＲＱ再送信の回数が調整されたか否かを知る必要があるからである。
【００３６】
図３ｂは、上記で述べた第４の実施形態に従った、無線基地局に対する方法のフローチャートである。最初の２つのステップ３１０および３２０は、図３ａで示された実施形態の場合と同じである。しかし、調整に対する要求は、図３ａのステップ３３０においてはＵＥに直接に送信されたが、それとは異なり、この実施形態ではステップ３５０においてＲＮＣを介してＵＥに間接的に送信される。
【００３７】
さらに図３ｃは、第２または第４の実施形態に従った、ユーザ端末に対する方法のフローチャートである。ステップ３６０において、ＵＥは調整に対する要求を、ＮｏｄｅＢから直接に（第２の実施形態）、または、ＲＮＣを介して間接的に（第４の実施形態）受信する。そして、ステップ３７０において、ＵＥは、それに従って自律ＨＡＲＱ再送信の回数を調整する。
【００３８】
最後に、図４ａおよび図４ｂは、上記で述べた第５の実施形態に従った、それぞれ、無線基地局およびＵＥに対する方法のフローチャートである。この実施形態においては、これまでに受信した／送信した１つ以上のデータパケットを正確に復号化するために何回の再送信が必要であったかを、無線基地局とＵＥとの双方が観測する（ステップ４１０は無線基地局に対して、またステップ４３０はＵＥに対して）。そして、所定のルール（ステップ４２０および４４０）に従って、自律ＨＡＲＱ再送信の回数を調整する。観測と所定のルールとは、無線基地局とＵＥとの双方において同じなので、無線基地局とＵＥとの双方は、それらの間でいずれのシグナリングも行うことなく、調整する再送信の回数として同じ値を導出するであろう。この実施形態はまた、ステップ３４０を備える。このステップは第３の実施形態を示す図３ａにおける、調整に関してＲＮＣに通知するためのステップと同じである。これにより、ＲＮＣは、ソフトハンドオーバを行うＮｏｄｅＢに調整に関する通知を行うことができる。
【００３９】
図５ａには、上記で記述した第１、第２、第３、および第４の実施形態に従った無線基地局１３０を示す。無線基地局１３０は、最近の少なくとも１つの受信パケットを正しく復号化するために必要であったＨＡＲＱ再送信の量を観測する手段１３１と、観測したＨＡＲＱ再送信の量に基づいて自律ＨＡＲＱ再送信の前記回数を調整するための手段１３２とを備える（第１の実施形態）。調整するための手段１３２は、さらに、自律ＨＡＲＱ再送信の前記回数を調整するための手段１３３と、自律ＨＡＲＱ再送信の前記回数の調整に対する要求を前記ユーザ端末に送信するための手段１３４と、自律ＨＡＲＱ再送信の前記回数の調整に関する情報をＲＮＣに送信するための手段１３４とを備える（第３の実施形態）。
【００４０】
図５ａにはまたＵＥ１５０も示されている。ＵＥ１５０は、観測したＨＡＲＱ再送信の量に基づいて自律ＨＡＲＱ再送信の前記回数を調整するための手段１５１を備える（第１の実施形態）。調整するための手段１５１は、さらに、自律ＨＡＲＱ再送信の前記回数の調整に対する要求を受信するための手段１５２と、受信した要求に従って自律ＨＡＲＱ再送信の前記回数を調整するための手段１５３とを備える（第３の実施形態）。
【００４１】
図５ｂには、上記で記述した第５の実施形態に従った無線基地局１３０を示す。無線基地局１３０は、最近の少なくとも１つの受信データパケットを正しく復号化するために必要であったＨＡＲＱ再送信の量を観測するための手段１３１と、観測したＨＡＲＱ再送信の量に基づいて、自律ＨＡＲＱ再送信の前記回数を調整するための手段１３２とを備える。調整するための手段１３２は、さらに、自律ＨＡＲＱ再送信の前記回数を調整するための手段１３３と、自律ＨＡＲＱ再送信の前記回数の調整に関する情報をＲＮＣに送信するための手段１３４とを備える。
【００４２】
図５ｂにはまたＵＥ１５０も示されている。ＵＥ１５０は、観測したＨＡＲＱ再送信の量に基づいて自律ＨＡＲＱ再送信の前記回数を調整するための手段１５１を備える。この第５の実施形態においては、ＵＥにおける調整に対する基礎として使用するＨＡＲＱ再送信の量の観測もまた、ＵＥにおいて行われる。従って、調整するための手段１５１は、さらに、１つ以上のこれまでのパケットを正しく復号化するために必要であったＨＡＲＱ再送信の量を観測する手段１５４と、所定のルールに従って自律ＨＡＲＱ再送信の前記回数を調整するための手段１５３とを備える。
【００４３】
図５ａおよび図５ｂに示す手段は、プログラムされたマイクロプロセッサまたは一般目的のコンピュータに結合したソフトウェア機能を使用して、および／または、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）を使用して、物理的または論理的エンティティによって実行することができるという点が注意されるべきである。
【００４４】
上記で挙げて記述した実施形態は、例として与えているだけであり、本発明を限定するものではない。添付の特許請求の範囲において請求する本発明の範囲の中にある、他の解決策、用途、目的、および機能も、当業者には明らかであろう。
【図１】
2011514036.tif 000003
【図２ａ】
2011514036.tif 000004
【図２ｂ】
2011514036.tif 000005
【図３ａ】
2011514036.tif 000006
【図３ｂ】
2011514036.tif 000007
【図３ｃ】
2011514036.tif 000008
【図４ａ】
2011514036.tif 000009
【図４ｂ】
2011514036.tif 000010
【図５ａ】
2011514036.tif 000011
【図５ｂ】
2011514036.tif 000012
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
無線通信システムにおける無線基地局において実行されるアップリンクにおけるハイブリッド型の自動再送要求（ＨＡＲＱ）による再送の方法であって、前記無線基地局は、無線ネットワーク制御装置（ＲＮＣ）によって制御される無線基地局であり、かつ、自律ＨＡＲＱ再送を使用してデータパケットを送信する少なくとも１つのユーザ装置から前記データパケットを受信する無線基地局であり、
前記方法は、
前記少なくとも１つのユーザ装置から新規に送信されたデータパケットを受信するたびに実行されるステップとして、
少なくとも１つの最新のデータパケットを正しく復号できるまでに必要となったＨＡＲＱ再送の量を観測する観測ステップと、
前記観測されたＨＡＲＱ再送の量に基づいて、前記自律ＨＡＲＱ再送の回数を調整する調整ステップと、
前記自律ＨＡＲＱ再送の回数について調整することを要求するためのリクエストを前記無線ネットワーク制御装置へ送信することにより、前記無線ネットワーク制御装置によって調整についてのリクエストを前記ユーザ装置へ送信させるとともに、少なくとも１つのハンドオーバに関与し、かつ、前記少なくとも１つのユーザ装置からデータパケットを受信する他の無線基地局に対して、前記無線ネットワーク制御装置によって前記調整について通知させるステップと
を有することを特徴とする方法。
【請求項２】
前記リクエストは、高速共用制御チャネル（ＨＳ−ＳＣＣＨ）における命令を介して送信されることを特徴とする請求項１に記載の方法。
【請求項３】
前記リクエストは、拡張個別チャネルの絶対グラントチャネル（Ｅ−ＡＧＣＨ）を介して送信されることを特徴とする請求項１に記載の方法。
【請求項４】
前記調整は、前記自律ＨＡＲＱ再送の回数を少なくとも１回だけ増加または減少させることに対応していることを特徴とする請求項１ないし３のいずれか１項に記載の方法。
【請求項５】
前記調整は、前記自律ＨＡＲＱ再送の回数を絶対的な値でもって設定することに対応していることを特徴とする請求項１ないし３のいずれか１項に記載の方法。
【請求項６】
前記調整ステップは、
前記観測されたＨＡＲＱ再送の量を入力として使用する所定のルールにしたがって前記自律ＨＡＲＱ再送の回数を調整するサブステップ
を有することを特徴とする請求項１に記載の方法。
【請求項７】
前記無線基地局は、無線ネットワーク制御装置（ＲＮＣ）によって制御される無線基地局であり、
前記調整ステップは、
前記自律ＨＡＲＱ再送の回数の調整についての情報を前記無線ネットワーク制御装置に送信することによって、少なくとも１つのハンドオーバに関与し、かつ、前記少なくとも１つのユーザ装置からデータパケットを受信する他の無線基地局に対して、前記無線ネットワーク制御装置によって前記調整について通知させるサブステップ
を有することを特徴とする請求項６に記載の方法。
【請求項８】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項６または７に記載の方法。
【請求項９】
前記所定のルールは、
少なくとも２つの最新のデータパケットを正しく復号できるまでに必要となった前記観測されたＨＡＲＱ再送の量についての統計関数によって前記自律ＨＡＲＱ再送の回数を調整するルールである
ことを特徴とする請求項６または７に記載の方法。
【請求項１０】
無線通信システムにおけるユーザ装置において実行されるアップリンクにおけるハイブリッド型の自動再送要求（ＨＡＲＱ）による再送の方法であって、前記ユーザ装置は少なくとも１つの無線基地局に対して自律ＨＡＲＱ再送を使用してデータパケットを送信するユーザ装置であり、
前記方法は、
前記少なくとも１つの無線基地局に対して新規にデータパケットを送信するたびに実行されるステップとして、
前記自律ＨＡＲＱ再送の回数を調整することを要求するリクエストを受信する受信ステップと、
前記受信したリクエストにしたがって、観測されたＨＡＲＱ再送の量に基づいて前記自律ＨＡＲＱ再送の回数を調整する調整ステップと
を有することを特徴とする方法。
【請求項１１】
前記リクエストは、高速共用制御チャネル（ＨＳ−ＳＣＣＨ）における命令を介して受信されることを特徴とする請求項１０に記載の方法。
【請求項１２】
前記リクエストは、拡張個別チャネルの絶対グラントチャネル（Ｅ−ＡＧＣＨ）を介して受信されることを特徴とする請求項１０に記載の方法。
【請求項１３】
前記調整は、前記自律ＨＡＲＱ再送の回数を少なくとも１回だけ増加または減少させることに対応していることを特徴とする請求項１０または１１に記載の方法。
【請求項１４】
前記調整は、前記自律ＨＡＲＱ再送の回数を絶対的な値でもって設定することに対応していることを特徴とする請求項１０または１１に記載の方法。
【請求項１５】
前記調整ステップは、
少なくとも１つの最新のデータパケットを正しく送信できるまでに必要となったＨＡＲＱ再送の量を観測するサブステップと、
前記観測されたＨＡＲＱ再送の量を入力として使用する所定のルールにしたがって前記自律ＨＡＲＱ再送の回数を調整するサブステップと
を有することを特徴とする請求項１０に記載の方法。
【請求項１６】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項１５に記載の方法。
【請求項１７】
前記所定のルールは、
少なくとも２つの最新のデータパケットを正しく送信できるまでに必要となった前記観測されたＨＡＲＱ再送の量についての統計関数によって前記自律ＨＡＲＱ再送の回数を調整するルールである
ことを特徴とする請求項１５に記載の方法。
【請求項１８】
無線通信システムにおける無線基地局であって、前記無線基地局は、自律ＨＡＲＱ再送を使用してデータパケットを送信する少なくとも１つのユーザ装置から前記データパケットを受信する無線基地局であり、
少なくとも１つの最新のデータパケットを正しく復号できるまでに必要となったＨＡＲＱ再送の量を観測する観測手段と、
前記観測されたＨＡＲＱ再送の量に基づいて、前記自律ＨＡＲＱ再送の回数を調整する調整手段と、
前記自律ＨＡＲＱ再送の回数について調整することを要求するためのリクエストを無線ネットワーク制御装置へ送信する送信手段と
を備えることを特徴とする無線基地局。
【請求項１９】
前記調整は、前記自律ＨＡＲＱ再送の回数を少なくとも１回だけ増加または減少させることに対応していることを特徴とする請求項１８に記載の無線基地局。
【請求項２０】
前記調整は、前記自律ＨＡＲＱ再送の回数を絶対的な値でもって設定することに対応していることを特徴とする請求項１８に記載の無線基地局。
【請求項２１】
前記調整手段は、
前記観測されたＨＡＲＱ再送の量を入力として使用する所定のルールにしたがって前記自律ＨＡＲＱ再送の回数を調整する手段
を備えることを特徴とする請求項１８に記載の無線基地局。
【請求項２２】
前記無線基地局は、無線ネットワーク制御装置（ＲＮＣ）によって制御される無線基地局であり、
前記調整手段は、
少なくとも１つのハンドオーバに関与し、かつ、前記少なくとも１つのユーザ装置からデータパケットを受信する他の無線基地局に対して、前記無線ネットワーク制御装置によって前記調整について通知させるために、前記自律ＨＡＲＱ再送の回数について調整することを要求するためのリクエストを前記無線ネットワーク制御装置へ送信する手段と
を備えることを特徴とする請求項２１に記載の無線基地局。
【請求項２３】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項２１または２２に記載の無線基地局。
【請求項２４】
前記所定のルールは、
少なくとも２つの最新のデータパケットを正しく送信できるまでに必要となった前記観測されたＨＡＲＱ再送の量についての統計関数によって前記自律ＨＡＲＱ再送の回数を調整するルールである
ことを特徴とする請求項２１または２２に記載の無線基地局。
【請求項２５】
無線通信システムにおけるユーザ装置であって、前記ユーザ装置は少なくとも１つの無線基地局に対して自律ＨＡＲＱ再送を使用してデータパケットを送信するユーザ装置であり、
前記自律ＨＡＲＱ再送の回数を調整することを要求するリクエストを受信する手段と、
前記受信したリクエストにしたがって、観測されたＨＡＲＱ再送の量に基づいて前記自律ＨＡＲＱ再送の回数を調整する手段と
を備えることを特徴とするユーザ装置。
【請求項２６】
前記調整は、前記自律ＨＡＲＱ再送の回数を少なくとも１回だけ増加または減少させることに対応していることを特徴とする請求項２５に記載のユーザ装置。
【請求項２７】
前記調整は、前記自律ＨＡＲＱ再送の回数を絶対的な値でもって設定することに対応していることを特徴とする請求項２５に記載のユーザ装置。
【請求項２８】
前記調整手段は、
少なくとも１つの最新のデータパケットを正しく送信できるまでに必要となったＨＡＲＱ再送の量を観測する観測手段と、
前記観測されたＨＡＲＱ再送の量を入力として使用する所定のルールにしたがって前記自律ＨＡＲＱ再送の回数を調整する手段と
を備えることを特徴とする請求項２５に記載のユーザ装置。
【請求項２９】
前記所定のルールは、
前記観測されたＨＡＲＱ再送の量を１回だけ増加または減少させることで得られた回数と等しくなるように、前記自律ＨＡＲＱ再送の回数を調整するルールである
ことを特徴とする請求項２８に記載のユーザ装置。
【請求項３０】
前記所定のルールは、
少なくとも２つの最新のデータパケットを正しく送信できるまでに必要となった前記観測されたＨＡＲＱ再送の量についての統計関数によって前記自律ＨＡＲＱ再送の回数を調整するルールである
ことを特徴とする請求項２８に記載のユーザ装置。
【国際調査報告】
2011514036.tif 000013
2011514036.tif 000014